【手続補正書】
【提出日】平成27年1月26日(2015.1.26)
【手続補正１】
【補正対象書類名】特許請求の範囲
【補正対象項目名】請求項１
【補正方法】変更
【補正の内容】
【請求項１】
遊技者が所有する有価価値の範囲内において遊技用価値の貸与を実施するとともに、貸与する遊技用価値の付与を対応する遊技機に実施させるための付与要求信号を該遊技機に対して出力する遊技用装置と、
前記付与要求信号の入力に応じて前記遊技用価値を付与する制御を行う遊技機と、
少なくとも前記遊技用価値の貸与に関する情報を管理する遊技用管理装置と、
から成る遊技用システムであって、
前記遊技機は、
前記付与要求信号の１の入力に対応する予め定められた１単位数の遊技用価値の付与に伴って該付与の実施を特定可能な付与情報を出力する付与情報出力手段を備え、
前記遊技用装置は、
予め定められた１単位の大きさの有価価値が前記遊技用価値の貸与に消費されることに伴って該１単位の大きさの有価価値の消費を特定可能な消費情報を出力する消費情報出力手段と、
前記１単位の大きさの有価価値の消費に対する前記付与要求信号の出力数を特定可能な信号出力レート情報に基づいて前記付与要求信号の出力数を決定する信号出力数決定手段と、
を備え、
前記遊技用管理装置は、
前記付与情報と前記消費情報を入力するための情報入力手段と、
前記信号出力レート情報を記憶する信号出力レート情報記憶手段と、
前記消費情報から特定される１単位の大きさの有価価値が消費された回数および前記信号出力レート情報記憶手段に記憶している信号出力レート情報から算出付与要求信号数を算出し、該算出付与要求信号数と前記付与情報から特定される１単位数の遊技用価値の付与回数とが、一致するか否かを判定する判定手段と、
前記判定手段が一致しないと判定したことを報知する報知手段と、
を備える
ことを特徴とする遊技用システム。
【手続補正２】
【補正対象書類名】特許請求の範囲
【補正対象項目名】請求項２
【補正方法】変更
【補正の内容】
【請求項２】
少なくとも遊技用価値の貸与に関する情報を管理する遊技用管理装置であって、
遊技者が所有する有価価値の範囲内において遊技用価値の貸与を実施するとともに、貸与する遊技用価値の付与を対応する遊技機に実施させるための付与要求信号を該遊技機に対して出力する遊技用装置から、予め定められた１単位の大きさの有価価値が前記遊技用価値の貸与に消費されることに伴って出力される該１単位の大きさの有価価値の消費を特定可能な消費情報と、前記付与要求信号の入力に応じて前記遊技用価値を付与する制御を行う遊技機から、前記付与要求信号の１の入力に対応する予め定められた１単位数の遊技用価値の付与に伴って出力される該付与の実施を特定可能な付与情報と、を入力するための情報入力手段と、
前記１単位の大きさの有価価値の消費に対する前記付与要求信号の出力数を特定可能な信号出力レート情報を記憶する信号出力レート情報記憶手段と、
前記消費情報から特定される１単位の大きさの有価価値が消費された回数および前記信号出力レート情報記憶手段に記憶している信号出力レート情報から算出付与要求信号数を算出し、該算出付与要求信号数と前記付与情報から特定される１単位数の遊技用価値の付与回数とが、一致するか否かを判定する判定手段と、
前記判定手段が一致しないと判定したことを報知する報知手段と、
を備える
ことを特徴とする遊技用管理装置。
【手続補正３】
【補正対象書類名】明細書
【補正対象項目名】０００７
【補正方法】変更
【補正の内容】
【０００７】
前記課題を解決するために、本発明の請求項１に記載の遊技用システムは、
遊技者が所有する有価価値（例えば、プリペイド残額）の範囲内において遊技用価値の貸与（例えば、パチンコ球の貸出し）を実施するとともに、貸与する遊技用価値の付与（貸与するパチンコ玉数の払出し）を対応する遊技機に実施させるための付与要求信号（例えば、台端末貸出要求完了確認信号（ＢＲＱ））を該遊技機（パチンコ機２）に対して出力する遊技用装置（カードユニット３）と、
前記付与要求信号の入力に応じて前記遊技用価値を付与する制御（ＢＲＱ信号の入力に対応する払出単位玉数の払出制御）を行う遊技機（パチンコ機２）と、
少なくとも前記遊技用価値の貸与に関する情報を管理する遊技用管理装置（ホールコンピュータ１４０、台端末５、島端末６）と、
から成る遊技用システムであって、
前記遊技機は、
前記付与要求信号の１の入力に対応する予め定められた１単位数の遊技用価値の付与（払出単位数の払出し）に伴って該付与（払出し）の実施を特定可能な付与情報（払出信号）を出力する付与情報出力手段（賞球制御基板２３７が払出信号を出力する部分）を備え、
前記遊技用装置は、
予め定められた１単位の大きさの有価価値（１００円のプリペイド残額に相当する１度数）が前記遊技用価値の貸与（貸出処理）に消費されることに伴って該１単位の大きさの有価価値の消費を特定可能な消費情報（玉貸信号）を出力する消費情報出力手段（制御ユニット３２８が玉貸信号出力処理を実施する部分）と、
前記１単位の大きさの有価価値の消費に対する前記付与要求信号の出力数を特定可能な信号出力レート情報（設定情報に含まれる貸出レート）に基づいて前記付与要求信号の出力数を決定する信号出力数決定手段（制御ユニット３２８が１操作貸出金額に相当する台端末貸出要求完了確認信号（ＢＲＱ）の出力数を、貸出レートに基づいて決定する部分）と、
を備え、
前記遊技用管理装置は、
前記付与情報と前記消費情報を入力するための情報入力手段（台端末５；第１ポート５８１〜第４ポート５８４）と、
前記信号出力レート情報を記憶する信号出力レート情報記憶手段（貸出レートを含む設定情報を記憶するＥＥＰＲＯＭ５７６）と、
前記消費情報から特定される１単位の大きさの有価価値が消費された回数（例えば、玉数管理テーブル１の貸出金額）および前記信号出力レート情報記憶手段に記憶している信号出力レート情報から算出付与要求信号数（例えば、玉数管理テーブル１の貸出玉数を払出単位数で除した値）を算出し、該算出付与要求信号数と前記付与情報から特定される１単位数の遊技用価値の付与回数（玉数管理テーブル１の貸出・返却実数を払出単位数で除した値）とが、一致するか否かを判定する判定手段（制御マイコン（ＭＰＵ）５７９が、ステップＴ１０を実施する部分）と、
前記判定手段が一致しないと判定したことを報知する報知手段（ステップＴ１１にて送信される異常発生通知の受信に応じて、ホールコンピュータ１４０の表示装置１４７が、図１１の警告ウインドウを表示する部分）と、
を備える
ことを特徴としている。
この特徴によれば、遊技機からは、付与要求信号の１の入力に対応する１単位数の遊技用価値の付与の実施を特定可能な付与情報、例えば、１単位数の遊技用価値の付与に対応した１の信号が出力されるとともに、遊技用装置からも、１単位の大きさの有価価値の消費を特定可能な消費情報、例えば、１単位の大きさの有価価値の消費に対応した１の信号が出力されることで、これら出力情報を管理装置に入力するための通信容量を低減できるとともに、遊技用価値の貸与割合（レート）の設定によって端数が発生したとしても、算出付与要求信号数と、付与情報から特定される１単位数の遊技用価値の付与回数とは一致することになるので、正確に異常を検知することができる。
【手続補正４】
【補正対象書類名】明細書
【補正対象項目名】０００８
【補正方法】変更
【補正の内容】
【０００８】
本発明の請求項２に記載の遊技用管理装置は、
少なくとも遊技用価値の貸与に関する情報を管理する遊技用管理装置（ホールコンピュータ１４０、台端末５、島端末６）であって、
遊技者が所有する有価価値（例えば、プリペイド残額）の範囲内において遊技用価値の貸与（例えば、パチンコ球の貸出し）を実施するとともに、貸与する遊技用価値の付与（貸与するパチンコ玉数の払出し）を対応する遊技機に実施させるための付与要求信号（例えば、台端末貸出要求完了確認信号（ＢＲＱ））を該遊技機（パチンコ機２）に対して出力する遊技用装置（カードユニット３）から、予め定められた１単位の大きさの有価価値（１００円のプリペイド残額に相当する１度数）が前記遊技用価値の貸与（貸出処理）に消費されることに伴って出力される該１単位の大きさの有価価値の消費を特定可能な消費情報（玉貸信号）と、前記付与要求信号の入力に応じて前記遊技用価値を付与する制御（ＢＲＱ信号の入力に対応する払出単位玉数の払出制御）を行う遊技機（パチンコ機２）から、前記付与要求信号の１の入力に対応する予め定められた１単位数の遊技用価値の付与（払出単位数の払出し）に伴って出力される該付与（払出し）の実施を特定可能な付与情報（払出信号）と、を入力するための情報入力手段（台端末５；第１ポート５８１〜第４ポート５８４）と、
前記１単位の大きさの有価価値の消費に対する前記付与要求信号の出力数を特定可能な信号出力レート情報を記憶する信号出力レート情報記憶手段（貸出レートを含む設定情報を記憶するＥＥＰＲＯＭ５７６）と、
前記消費情報から特定される１単位の大きさの有価価値が消費された回数（例えば、玉数管理テーブル１の貸出金額）および前記信号出力レート情報記憶手段に記憶している信号出力レート情報から算出付与要求信号数（例えば、玉数管理テーブル１の貸出玉数を払出単位数で除した値）を算出し、該算出付与要求信号数と前記付与情報から特定される１単位数の遊技用価値の付与回数（玉数管理テーブル１の貸出・返却実数を払出単位数で除した値）とが、一致するか否かを判定する判定手段（制御マイコン（ＭＰＵ）５７９が、ステップＴ１０を実施する部分）と、
前記判定手段が一致しないと判定したことを報知する報知手段（ステップＴ１１にて送信される異常発生通知の受信に応じて、ホールコンピュータ１４０の表示装置１４７が、図１１の警告ウインドウを表示する部分）と、
を備える
ことを特徴としている。
この特徴によれば、遊技機からは、付与要求信号の１の入力に対応する１単位数の遊技用価値の付与の実施を特定可能な付与情報、例えば、１単位数の遊技用価値の付与に対応した１の信号が出力されるとともに、遊技用装置からも、１単位の大きさの有価価値の消費を特定可能な消費情報、例えば、１単位の大きさの有価価値の消費に対応した１の信号が出力されることで、これら出力情報を管理装置に入力するための通信容量を低減できるとともに、遊技用価値の貸与割合（レート）の設定によって端数が発生したとしても、算出付与要求信号数と、付与情報から特定される１単位数の遊技用価値の付与回数とは一致することになるので、正確に異常を検知することができる遊技用管理装置を提供できる。